(57)【特許請求の範囲】
【請求項１】
メディア資産に対してアクセス制御を行う方法であって、
メディア資産のユーザー選択を表示装置において受信することと、
前記選択されたメディア資産が少なくとも１つの設定された阻止基準を満たすことを決定することと、
パスワードプロンプトを前記ユーザーに対して前記表示装置上での表示のために生成することと、
パスワードのユーザー入力を受信することと、
前記受信されたパスワードがペアレンタルコントロールパスワードと一致する場合には、すべての設定された阻止基準を無効化することにより、配給サーバーから利用可能なすべてのメディア資産に前記表示装置上で前記ユーザーがアクセスすることを可能にすることと、
前記表示装置が停止されることに応答して、すべての設定された阻止基準を元に戻すことと
を含む、方法。
【請求項２】
前記配給サーバーから利用可能なメディア資産のリストを前記表示装置上に表示することをさらに含み、ユーザー選択を受信することは、前記表示されたリストからメディア資産のユーザー選択を受信することを含む、請求項１に記載の方法。
【請求項３】
前記ユーザー選択の受信の後に、ポップアッププロンプトを前記ユーザーに対して前記表示装置において表示することであって、前記ポップアッププロンプトは、すべてのメディア資産のロックを解除するためのオプションを含む、ことと、
前記オプションのユーザー選択を受信することにより、すべてのメディア資産のロックを解除することと
をさらに含む、請求項１に記載の方法。
【請求項４】
すべてのメディア資産のロックを解除するための前記オプションの前記ユーザー選択が受信された後に、前記パスワードプロンプトが前記表示装置上に表示される、請求項３に記載の方法。
【請求項５】
すべてのメディア資産のロックを解除するための前記オプションの前記ユーザー選択が受信された後に、すべてのペアレンタルコントロールを再ロックするためのオプションを前記表示装置において表示することをさらに含む、請求項３に記載の方法。
【請求項６】
前記表示装置の音声をミュートにすることと、前記表示装置上に阻止スクリーンを表示することとをさらに含む、請求項１に記載の方法。
【請求項７】
メディア資産に対してアクセス制御を行うシステムであって、
前記システムは、入力装置と、表示装置とを含み、
前記入力装置は、
メディア資産のユーザー選択をユーザーが前記入力装置に入力することを可能にすることと、
パスワードのユーザー入力を前記ユーザーが前記入力装置に入力することを可能にすることと
を行うように構成されており、
前記表示装置は、
前記選択されたメディア資産が少なくとも１つの設定された阻止基準を満たすことを決定することと、
パスワードプロンプトを前記ユーザーに対して表示することと、
前記入力装置に入力された前記パスワードがペアレンタルコントロールパスワードと一致する場合には、すべての設定された阻止基準を無効化することにより、配給サーバーから利用可能なすべてのメディア資産に前記ユーザーがアクセスすることを可能にすることと、
前記表示装置が停止されることに応答して、すべての設定された阻止基準を元に戻すことと
を行うように構成されている、システム。
【請求項８】
前記表示装置は、前記配給サーバーから利用可能なメディア資産のリストを表示するようにさらに構成されており、前記入力装置は、前記表示されたリストからのメディア資産のユーザー選択を前記ユーザーが前記入力装置に入力することを可能にするようにさらに構成されている、請求項７に記載のシステム。
【請求項９】
前記表示装置は、前記ユーザー選択が前記入力装置に入力された後に、ポップアッププロンプトを前記ユーザーに対して表示するようにさらに構成されており、前記ポップアッププロンプトは、すべてのメディア資産のロックを解除するためのオプションを含み、
前記入力装置は、すべてのメディア資産のロックを解除するための前記オプションのユーザー選択を前記ユーザーが前記入力装置に入力することを可能にするようにさらに構成されている、請求項７に記載のシステム。
【請求項１０】
前記表示装置は、すべてのメディア資産のロックを解除するための前記オプションの前記ユーザー選択が前記入力装置に入力された後に、前記パスワードプロンプトを表示するようにさらに構成されている、請求項９に記載のシステム。
【請求項１１】
前記表示装置は、すべてのメディア資産のロックを解除するための前記オプションの前記ユーザー選択が前記入力装置に入力された後に、すべてのペアレンタルコントロールを再ロックするためのオプションを表示するようにさらに構成されている、請求項９に記載のシステム。
【請求項１２】
前記表示装置は、音声をミュートにし、阻止スクリーンを表示するようにさらに構成されている、請求項７に記載のシステム。
【請求項１３】
装置によって受信された番組に対してアクセス制御を行う方法であって、
前記装置がオンにされたことに応答して、前記装置にロックが設定されていることを決定することと、
前記装置にロックが設定されていることを決定することに応答して、
パスワードを入力するようにユーザーを促すことと、
パスワードのユーザー入力を受信することと、
前記受信されたパスワードがペアレンタルコントロールパスワードと一致する場合には、前記ロックを無効化することによって、前記ユーザーが前記番組にアクセスすることを可能にすることと
を含み、
前記装置が停止されることに応答して、前記ロックが元に戻される、方法。
【請求項１４】
前記ユーザーが前記ペアレンタルコントロールパスワードと一致するパスワードを入力するまで、前記番組はアクセス可能でない、請求項１３に記載の方法。
【請求項１５】
番組にアクセスするためのユーザー要求を受信することと、
前記要求された番組が１つ以上の設定された阻止基準を満たすことを決定することと、
パスワード入力するように前記ユーザーを促すことと、
前記ユーザーが前記ペアレンタルコントロールパスワードと一致するパスワードを入力した場合には、前記要求された番組にアクセスすることと
をさらに含む、請求項１３に記載の方法。
【請求項１６】
前記装置のロックは、ペアレンタルコントロールメニューから前記装置のロックのユーザー選択を受信することによって設定される、請求項１３に記載の方法。
【請求項１７】
装置によって受信された番組に対してアクセス制御を行うシステムであって、
前記装置がオンにされたことに応答して、前記装置にロックが設定されていることを決定する手段と、
前記装置にロックが設定されていることを決定することに応答して、パスワードを入力するようにユーザーを促す手段と、
パスワードのユーザー入力を受信する手段と、
前記受信されたパスワードがペアレンタルコントロールパスワードと一致する場合には、前記ロックを無効化することによって、前記ユーザーが前記番組にアクセスすることを可能にする手段と
を含み、
前記装置が停止されることに応答して、前記ロックが元に戻される、システム。
【請求項１８】
前記ユーザーが前記ペアレンタルコントロールパスワードと一致するパスワードを入力するまで、番組はアクセス可能でない、請求項１７に記載のシステム。
【請求項１９】
番組にアクセスするためのユーザー要求を受信する手段と、
要求された番組が１つ以上の設定された阻止基準を満たすことを決定する手段と、
パスワードを入力するように前記ユーザーを促す手段と、
前記ユーザーが前記ペアレンタルコントロールパスワードと一致するパスワードを入力した場合には、前記要求された番組にアクセスする手段と
をさらに含む、請求項１７に記載のシステム。
【請求項２０】
ペアレンタルコントロールメニューから前記装置のロックのユーザー選択を受信する手段をさらに含む、請求項１７に記載のシステム。
【発明の詳細な説明】
【技術分野】
【０００１】
本発明は、テレビ予約情報を提供するためのシステム、より特定的に言うとテレビ番組
へのアクセスを制御する能力を伴うテレビ予約情報ガイドに関する。
【背景技術】
【０００２】
ユーザーにテレビ予約情報を提供するためのシステムが、現在利用可能である。
【０００３】
例えば、特許文献１は、テレビ予約システム及びプロセスを提供している。Youngの一
実施形態においては、テレビ予約情報は、ユーザーのテレビスクリーン上に提供される。
ユーザーは、番組の選択などを行なうために、Youngシステムによって利用される選択基
準を供給することができる。さらに、Youngは、テレビ予約情報ガイド内にリストアップ
されている番組の自動的選択及び自動的無人録画を可能にするべくテレビ受像機を制御す
るシステムを開示している。番組の自動的無人録画は、ビデオテープレコーダ（ＶＣＲ）
又はその他の記録装置を制御することによって達成される。
【先行技術文献】
【特許文献】
【０００４】
【特許文献１】米国特許第４，７０６，１２１号明細書
【発明の概要】
【課題を解決するための手段】
【０００５】
本発明は、ユーザーが時間、格付け、内容及び／又はチャンネル別にテレビ番組へのア
クセスを制御することを可能とする、ユーザーインターフェイスを伴うテレビ予約システ
ムに関する。さらに、ユーザーは、ペイ・パー・ビュー（ＰＰＶ）（従量料金）方式番組
の購入を制限するべくＰＰＶ消費に対する限度を設定することができる。
【０００６】
好ましい実施形態においては、テレビ予約システムはメインメニューを有している。ユ
ーザーは、親パスワードを入力するためにメインメニューから「Parental Control」（親
制御）メニューを選択することができる。親パスワードは、メインメニューから設定でき
る。親パスワードを設定しそれを入力した後、ユーザーは、親制御メニューからチャンネ
ル、格付け、内容及び／又は時間別に、番組をロックアウトできる。ショーの内容記述は
さらに、ＦＣＣにより供給されるＶチップ格付けデータに基づく対応する「Ｖチップ」分
類を有することができる。
【０００７】
従って、ユーザーはさらに、Ｖチップ分類別に番組をロックアウトできる。ロックされ
た番組に同調するためには、好ましくは親パスワードが供給される。
【０００８】
一実施形態においては、ユーザーは、購入パスワードを入力するためメインメニューか
ら「視聴制御」メニューを選択することができる。購入パスワードは、同様にメインメニ
ューから設定することもできる。購入パスワードを設定し入力した後、ユーザーは、ＰＰ
Ｖ消費限度を特定し、かくしてＰＰＶ方式番組の購入を制限することができる。ユーザー
はさらに、格付け及び内容に基づいて、許容されたＰＰＶ方式番組のタイプを特定するこ
とができる。消費限度を超えて購入を行なうためには、好ましくは購入パスワードが供給
される。制約のある番組を購入するためには、好ましくはパスワードと購入パスワードの
両方が供給される。
【０００９】
ユーザーがパスワードを思い出せない場合、例えばケーブルオペレータを呼出すことが
できる。ケーブルオペレータは、パスワードをゼロにセットすることができ、かくしてユ
ーザーは新しいパスワードを設定できる。
【００１０】
本発明のその他の特長及び利点は、明細書及び図面の残りの部分を熟読した時点で、当
業者には明白となるだろう。図面中、同じ参照番号は、同一の又は機能的に類似した要素
を表わしている。
例えば、本発明は、以下を提供する。
１．少なくともテレビ番組情報及び時刻を含むテレビ番組予約情報を入力する段階；及び
ユーザー入力及び前記番組情報に基づいて前記テレビ番組のうちの選択された番組へのア
クセスを制限する段階；
を含んで成る、テレビガイドの操作方法。
２．前記アクセス制限段階が、格付け別にアクセスを制限する段を含んで成る、請求項１
に記載の方法。
３．前記格付けよりも悪い格付けをもつ全ての番組が阻止される請求項２に記載の方法。
４．前記アクセス制限段階には、内容別にアクセスを制限する段階が含まれている請求項
１に記載の方法。
５．前記アクセス制限段階が、Ｖチップ分類別にアクセスを制限する段階を含んで成る、
請求項１に記載の方法。
６．前記アクセス制限段階が、時間別にアクセスを制限する段階を含んで成る、請求項１
に記載の方法。
７．前記アクセス制限段階には、従量料金方式番組について消費限界によりアクセスを制
限する段階が含まれている、請求項１に記載の方法。
８．前記アクセス制限段階には、従量料金方式番組について格付け別にアクセスを制限す
る段階が含まれている、請求項１に記載の方法。
９．前記アクセス制限段階には、前記テレビ番組のうちの前記選択された番組へのアクセ
スを可能にする前にパスワードを入力するよう要求する段階が含まれている、請求項１に
記載の方法。
１０．前記予約情報が、垂直ブランキング期間内で放送される、請求項１に記載の方法。
１１．前記予約情報が専用チャンネル上で放送される、請求項１に記載の方法。
１２．前記予約情報が、非チャンネル特定機構を用いて帯域外で放送される、請求項１に
記載の方法。
１３．前記アクセス制限段階には、濃淡のないカラースクリーンを表示し前記選択された
番組のうちの１つの音声を遮断する段階が含まれている、請求項１に記載の方法。
１４．少なくともテレビ番組情報及び時刻を含むテレビ番組予約情報を入力するコンピュ
ータ読取り可能コード；
ユーザーの入力及び前記番組情報に基づいて前記テレビ番組のうちの選択された番組への
アクセスを制限するコンピュータ読取り可能コード；及び前記コンピュータ読取りコー
ドを記憶する有形媒体、を含んで成るコンピュータプログラム製品。
１５．前記コンピュータ読取り可能コードが格付け別にアクセスを制限する、請求項１４
に記載のコンピュータプログラム製品。
１６．前記コンピュータ読取り可能コードが前記格付けよりも悪い格付けをもつ全ての番
組へのアクセスを制限する、請求項１５に記載のコンピュータプログラム製品。
１７．前記コンピュータ読取り可能コードが、内容別にアクセスを制限する、請求項１４
に記載のコンピュータプログラム製品。
１８．前記コンピュータ読取り可能コードが、Ｖチップ分類別にアクセスを制限する、請
求項１４に記載のコンピュータプログラム製品。
１９．前記コンピュータ読取り可能コードが時間別にアクセスを制限する、請求項１４に
記載のコンピュータプログラム製品。
２０．前記コンピュータ読取り可能コードが従量料金方式番組について、消費限界により
アクセスを制限する、請求項１４に記載のコンピュータプログラム製品。
２１．前記コンピュータ読取り可能コードが従量料金方式番組について格付け別にアクセ
スを制限する、請求項１４に記載のコンピュータプログラム製品。
２２．前記コンピュータ読取り可能コードは、前記テレビ番組のうちの前記選択された番
組へのアクセスを可能にするパスワードの入力を要求することによって、前記テレビ番組
のうちの前記選択された番組へのアクセスを制限する、請求項１４に記載のコンピュータ
プログラム製品。
２３．前記予約情報が、垂直ブランキング期間内で放送される請求項１４に記載のコンピ
ュータプログラム製品。
２４．前記予約情報が、専用チャンネル上で放送される、請求項１４に記載のコンピュー
タプログラム製品。
２５．前記予約情報が、非チャンネル特定機構を用いて帯域外で放送される、請求項１４
に記載のコンピュータプログラム製品。
２６．前記コンピュータ読取り可能コードが、濃淡のないカラースクリーンを表示し前記
選択された番組のうちの１つの音声を遮断することによってアクセスを制限する請求項１
４に記載のコンピュータプログラム製品。
２７．予約ガイド情報及びこの予約ガイド内の番組に対する関連の番組品質情報を記憶す
る段階；
選択された品質をもつ番組へのアクセスを制約するためのパスワードを入力する段階；
特定の番組に同調するべくユーザー入力を受理する段階；
前記特定の番組が前記選択された品質を有するか否かを決定する段階、及び前記番組が前
記選択された品質を有する場合、前記番組の表示を可能にしない段階、を含んで成るテレ
ビ操作方法。
２８．選択された品質が価格品質である、請求項２７に記載の方法。
２９．全てのチャンネルをロック解除するため前記パスワードとユーザー入力を受理する
段階、及び制限された時間中全てのチャンネルをロック解除する段階、を更に含む、請求
項２７に記載の方法。
３０．番組品質情報を記憶する前記段階が、１つの番組についてのＶチップ情報を検索す
る段階を含んで成る、請求項２７に記載の方法。
【図面の簡単な説明】
【００１１】
【図１】本発明に従ったテレビシステムの好ましい実施形態を例示する。
【図２Ａ】パスワードが設定されず、ユーザーがテレビ予約ガイドのメインメニューから親制御を選択する場合に、ユーザーに示されるポップアップメニューの好ましい一実施形態を示す。
【図２Ｂ】親パスワードが設定され入力された後、ユーザーに示される親制御メニューの好ましい一実施形態を示す。
【図２Ｃ】ユーザーが「チャンネル別ロック」機能を選択したときに示されるポップアップの好ましい一実施形態を示す。
【図２Ｄ】ユーザーが「格付け及び内容別ロック」機能を選択したときに示されるポップアップの好ましい一実施形態を示す。
【図２Ｅ】ユーザーが「時間別ロック」機能を選択したときに示されるポップアップの好ましい実施形態を示す。
【図２Ｆ】購入パスワードが設定されず、ユーザーが視聴制御メニューから「ＩＰＰＶ消費限度のセット」機能を選択した場合にユーザーに示されるポップアップの好ましい一実施形態を示す。
【図２Ｇ】購入パスワードが設定され、ユーザーが視聴制御メニューから「ＩＰＰＶ消費限度のセット」機能を選択した場合にユーザーに示されるポップアップの好ましい一実施形態を示す。
【図２Ｈ】適切な購入パスワードが設定され入力された後ユーザーに示されるＩＰＰＶ消費限度ポップアップの好ましい一実施形態を示す。
【図３】ユーザーが１つの番組への同調を行なうことができるか否かを決定するためのプロセスフローチャートを示す。
【図４】親制御機能のオペレーションについてのプロセスフローチャートを示す。
【図５】購入制御機能のオペレーションについてのプロセスフローチャートを示す。
【図６】親制御又は購入パスワードを入力するにあたりパスワードを確認しユーザーの試行回数を制限するためのプロセスフローチャートを示す。
【図７】番組が制約されたＶチップ分類を有するか否か、及びアクセスが許容されるべきか否かを決定するためのプロセスフローチャートを示す。
【図８】親制御又は購入パスワードを変更するためのプロセスフローチャートを示す。
【図９】親制御又は購入パスワードを設定するためのプロセスフローチャートを示す。
【図１０】親制御又は購入パスワードを除去するためのプロセスフローチャートを示す。
【発明を実施するための形態】
【００１２】
本発明は、ＴＶ番組へのアクセスを制御する能力をもつテレビ（ＴＶ）予約システムを
提供する。図１は、本発明を利用することのできるＴＶシステム１の好ましい一実施形態
を例示する。図示されている通り、システム１は、配給センター１０と多数の受信場所を
含む。配給センター１０は、データストリームのためのデータをコンパイルする。好まし
い実施形態においては、このデータストリームは、受信場所１６，１８，２０及び２２に
放送される。データストリームを配給センタ１０から受信場所１６〜２２まで放送するた
めには、複数の方法が利用可能である。例えば、衛星１５がテレビチャンネル（例えばＰ
ＢＳ）又は専用チャンネルの垂直ブランキング期間（ＶＢＩ）内でこのデータストリーム
を受信場所１６，１８，２０及び２２に放送することができる。代替的には、非チャンネ
ル特定機構を用いて、データを帯域外で放送することもできる。もう１つの実施形態にお
いては、データストリームは、伝送ライン１３を介して受信場所１６，１８，２０及び２
２に提供される。伝送ライン１３は、例えば、光ファイバ、同軸ケーブル、電話回線など
であってよい。さらにもう１つの実施形態においては、受信場所の中にある周辺装置が、
例えばローカルサービスプロバイダ４０からデータストリームを受信する。サービスプロ
バイダ４０は、ライン１７を介して配給センタ１０からデータストリームを受信し、衛星
１５（又はもうｌつの衛星）を介してか又はライン１９及び１３を介して受信周辺装置に
データストームを放送する。受信周辺機器は、テレビ３０，テレビ３４，ＶＣＲ３２，Ｖ
ＣＲ３６及び／又はセットトップボックス３８であってよい。さらにその他の実施形態に
おいては、ＰＣＴＶを利用することもできるし、或いは又上述の装置の複数のもの及び／
又はコンピュータと共に使用するためパーソナルコンピュータにデータを提供することも
できる。
【００１３】
（特許文献２）米国特許５，１５１，７８９号
【００１４】
好ましい実施形態においては、データストリーム内の情報には、ＴＶ予約情報が含まれ
ている。周辺装置内にあるソフトウェアは、ＴＶ予約ガイドを生成するべくデータストリ
ーム内に提供された予約情報を利用する。このソフトウェアは、ＲＯＭ，ＲＡＭ，ディス
ク又はその他の記憶装置といったコンピュータ読取り可能な記憶媒体４２の上に記憶され
ている。ＴＶ予約ガイドが、グリッド書式である場合、例えば利用可能なチャンネルを「
ｙ」軸上にリストアップさせ、さまざまな時間を「ｘ」軸上にリストアップさせることが
できる。ユーザーは、ガイド内の番組をハイライトさせその番組を選択することによって
、ＴＶ予約ガイド内の１つの番組に対する同調を行なうことができる。ユーザーは、自動
的無人録画のため、ＴＶ予約ガイド内にリストアップされているｌ個またはそれ以上の所
望の番組を選択することもできる。ＴＶ予約システムが情報をどのように表示するか、及
びその同調及び自動録画能力に関する詳しい情報については、特許文献１及び特許文献２
を参照されたい。これらの特許は共に、本特許出願と同様、StarSight Telecast Inc.,に
譲渡され、ここに全ての目的のためその全体が参考文献として組み込まれる。
【００１５】
当該システムはさらに、視聴者が１個またはそれ以上のＴＶ番組に同調を行なうか又は
それを見るのを妨げる能力も有している。ＴＶ番組は、チャンネル、格付け、内容及び／
又は時間別に遮断され得る。ユーザーがロックされた時間中にＴＶをオンに切換えた場合
、又はロックされた格付け又は内容/Ｖチップ分類（例えば）を含むショーに対し同調を
行なった場合、テレビ予約システムは音声をミュートにし、ＴＶスクリーン全体に濃淡の
無い青色スクリーンを表示する。ここで親パスワードを要求するポップアップが現われる
ことになる。正しいパスワードが入力された時点で、濃淡の無い青色スクリーンは消え、
ミュートは無効化される。
【００１６】
図２Ａは、パスワードが設定されずユーザーがメインメニュー５０から親制御を選択し
た場合にユーザーに示されるポップアップ５２の好ましい一実施形態を示す。システムの
さまざまなメニュー及びポップアップは、下にある全面スクリーンの上にある部分スクリ
ーンとして示すこともできるし、或いは又全面スクリーンとして示すこともできる。図示
されている通り、ユーザーは、ＳＥＬＥＣＴキーを押すことにより親パスワードを新規作
成するよう要請を受ける。ＳＥＬＥＣＴキーはＥＮＴＥＲキーであってもよく、ユーザー
入力装置上にあってもよいし或いは又ＴＶ予約ガイド上に位置されスクリーンボタンへカ
ーソルを導くことで入力されてもよい。ＳＥＬＥＣＴキーがＴＶ予約ガイド上にある場合
、ユーザーは、ガイド上でそれをハイライトさせ、入力キー又はユーザー入力装置上で入
力キーとして機能するあらゆるキーを押すことでそれを入力することができる。ユーザー
入力装置又はＴＶ予約ガイド上に位置されうるその他のキーとしては、ＣＡＮＣＥＬキー
、ＲＥＣキー、及びＥＸＩＴキーが含まれる。ユーザーがポップアップメニュー内で移動
し選択を行なえるようにするため、好ましくは上、下、左及び右の矢印キーが含まれる。
しかしながら、ユーザーがポップアップメニュー内を移動できるようにするあらゆるキー
の組合せが使用可能である。親パスワードは、ＳＥＬＥＣＴキーを叩くことにより、メイ
ンメニュー５０から設定可能である。
【００１７】
図２Ｂは、メインメニュー５０から親パスワードが設定されユーザーが正しいパスワー
ドを入力した時点でユーザーに示される親制御メニュー５４の好ましい実施形態を示す。
ユーザーは、チャンネル、格付け及び／又は内容又は時間別にＴＶ番組をロックすること
ができる。例えば、時間別にロックすることを望む場合、ユーザーはカーソルを「時間別
ロック」の場所に移動させることができ、ＳＥＬＥＣＴキーを入力する。代替的には、番
組がロックされた場合、ユーザーは、ロックされていた全ての番組をロック解除できる。
【００１８】
図２Ｃは、ユーザーが「チャンネルによるロック機能」を選択した時点で示されるポッ
プアップ５６の好ましい一実施形態である。
【００１９】
この好ましい実施形態においては、ポップアップ５６は、ユーザーが利用可能な全ての
チャンネルのリストを含む。ユーザーがポップアップ５６に適合するよりも多くのチャン
ネルを有する場合、インジケータ又はスクロールバーがポップアップのコーナーに示され
、ユーザーに対しより多くのチャンネルを表示するべくさらに右へ又はさらに下へ移動す
るように命令する。ユーザーは、ポップアップ５６内を移動するため前述の矢印キーを使
用することができる。ユーザーがチャンネルをハイライトさせて選択した後、そのチャン
ネルがロックされる。そのチャンネルがロックされていることを示すためチャンネルアイ
コンの隣にロック記号が置かれることになる。
【００２０】
チャンネルをロック解除するためには、ユーザーは、ロックされたチャンネルをハイラ
イトさせて選択することができる。そのとき、チャンネルアイコンの隣のロック記号は消
え、ロックが除去されたことを示す。ユーザーは、親制御メニューのポップアップ５４に
戻るべくＥＸＩＴキーを使用することができる。
【００２１】
システムは番組情報を記憶することから、現行の又は将来の番組が制約されたチャンネ
ル上に示されているか否かを見極めることができる。システムは同様に、番組が制約され
た格付け及び／又は内容、Ｖチップ分類又は時間帯に入るか否かをも見極めることができ
る。従って、録画予定の番組が存在するチャンネルにロックがセットされた場合、ユーザ
ーにその矛盾について警告するポップアップが現われることになる。ユーザーがそのポッ
プアップを無視した場合、それは３秒以内でタイムアウトし、チャンネルはロックされ、
録画は、ロックが有効化される前にセットされた通りにパスワードの必要なく行なわれる
ことになる。チャンネルがひとたびロックされた時点で、ユーザーは、正しいパスワード
を入力しないかぎり、そのチャンネル上のいずれの番組をも同調、録画又は購入すること
ができない。しかしながら、正しいパスワードを入力した時点で、ユーザーは、将来の番
組の録画を予約することができる。予約された録画を行う時点で、システムは、ロックさ
れたチャンネルのロックを解除し、そのチャンネルに同調を行ない、番組を録画する。番
組が終わった時点で、システムはそのチャンネルを再びロックする。
【００２２】
図２Ｄは、ユーザーが格付け及び／又は内容別に番組をロックすることを選んだ場合に
示されるポップアップ６０の好ましい一実施形態である。これを見ればわかるように、ｌ
つは格付けによるもの、もうｌつは内容によるものと言う２つのリストがユーザーに示さ
れる。ユーザーは、ポップアップ上で関連する内容及び／又は格付けをハイライトさせて
ＳＥＬＥＣＴキーを入力することにより内容及び／又は定格別にロックすることができる
。複数のカテゴリーの格付け及び／又は内容を用いて、番組をロックすることが可能であ
る。さらに、ポップアップ６０上の内容記述は、Ｖチップにより供給されるデータに対応
する情報を含んでいてよい。Ｖチップデータはカッコ内に入れられる場合があり、これは
番組のＶチップ属性分類を表わす。例えば、内容カテゴリ「暴力」は、対応するＶチップ
属性、やや暴力的（Ｖ２）、中程度に暴力的（Ｖ３）などへの対応を有していてもよい。
ユーザーが或る格付けに従ってショーをロックした場合、それより高い格付けは全て自動
的にロックされる。ショーの内容は、過激さの順にリストアップされてる訳ではないこと
から、１つの内容をロックすることで自動的に他のいずれかをロックすることにはならな
い。
【００２３】
ユーザーは同様に、特定の時間帯をロックしてその時間中のＴＶ視聴を防ぐこともでき
る。ユーザーはさらに、例えば特定の一日だけ、月曜日から金曜日までのみ、週末のみ、
又は一週間の毎日というように、ロックの頻度を特定することもできる。図２Ｅは、ＴＶ
視聴を防止すべき時間帯についてのユーザーの入力を要求するポップアップ６２を示して
いる。図示されている通り、ユーザーは、ロックを開始する時刻（省略時（デフォルト）
の時刻２：３０ｐｍ）、ロックを終了する時刻（省略時時刻は５ｐｍ）、及びロック頻度
（省略時頻度は一日）を特定することができる。ユーザーが前もってこれらの値をセット
していたという状況下では、システムは値を覚えており、ポップアップ６２が示された時
点でそれらを表示する。
【００２４】
ロックされた時間帯にＴＶ視聴が試みられた場合、システムは音声をミュートし、ビデ
オ全体に青色スクリーンを表示する。ここで親パスワードを要請するポップアップが現わ
れることになる。正しいパスワードが入力された時点で、濃淡の無い青色スクリーンは消
え、音声は再び有効化される。録画予定の番組がある時間帯にロックが設けられた場合、
矛盾についてユーザーに警告を発するポップアップが現われることになる。ユーザーがそ
のポップアップを無視した場合、ポップアップは３秒以内でタイムアウトし、チャンネル
はロックされ、ロックが有効化される前にセットされた通りに、パスワードの要求無く録
画が行なわれることになる。しかしながら、ロックされた時間帯に予定される将来の録画
全てには、パスワードが必要となる。
【００２５】
図２Ｆは、購入パスワードが設定されず、ユーザーが視聴制御メニュー６６からの「Ｉ
ＰＰＶ消費限度のセット」機能を選択した場合にユーザーに対し示されるポップアップ６
４の好ましい一実施形態を示す。ＩＰＰＶはインパルスペイ・パー・ビューの略であり、
例えばリモコンといったユーザー入力装置を介して購入されるＰＰＶ番組を意味する。こ
れは、番組を購入するのにユーザーが番組プロバイダを電話で呼出す必要のある従来のＰ
ＰＶ番組とは異なっている。ユーザーは、ユーザー入力装置上でキーを押すか又はそれを
ＴＶ予約ガイド上で選択するかのいずれかによってＳＥＬＥＣＴキーを入力することによ
り、メインメニュー５０から購入パスワードを設定することができる。図２Ｇは、購入パ
スワードが設定されユーザーが視聴制御メニュー６６から「ＩＰＰＶ消費限度のセット」
機能を選択した場合にユーザーに示されるポップアップ６８の好ましい一実施形態を示す
。この場合、ユーザーは、単純に購入パスワードを入力し、ＳＥＬＥＣＴキーを入力する
ことになる。図２Ｇに示されているように、ユーザーが間違った場合、ユーザーはＣＡＮ
ＣＥＬキーを入力し、パスワードを再入力することができる。
【００２６】
ひとたび購入パスワードが設定され、入力された時点で、ユーザーはＩＰＰＶ消費限度
ポップアップ７０（図２Ｈに示されているような）を見て、システムが購入を有効化する
パスワードを要求する前に、ＩＰＰＶの消費を制限するべき合計金額を入力することがで
きる。省略時消費額はゼロであり、その場合ユーザーは全ての購入について購入パスワー
ドを入力する必要がある。ゼロより大きい金額がセットされた場合、これは、付加的な購
入を行なうために購入パスワードが要求される前にユーザが消費できる金額である。この
金額をセットするためには、ユーザーは、右矢印キーを入力することができ、右矢印キー
の入力毎に、限度に１ドルが付加される。金額を削減するためには、ユーザーは左矢印キ
ーを使用することができる。ユーザーは、望まれる時にいつでも、金額をリセットする目
的で矢印キーを使用できる。
【００２７】
ロックされた番組にアクセスするためには、ユーザーは、親制御メニュー５４から「全
てのロックの解除」機能を選択することができ、ロックされた番組は全てロック解除され
ることになる。代替的には、ユーザーは、ガイド内にある間に約１秒間ＳＥＬＥＣＴキー
を入力することによって、テレビ予約情報ガイドから全てのロックを解除することができ
る。ポップアップが現われることになり、ユーザーは「全てロック解除」オプションを選
択することができる。
【００２８】
システムは、ユーザーに親パスワードを要請することになり、正しいパスワードの入力
時点で、ユーザーは、利用可能な全てのチャンネル上で全ての番組に対する同調を行なう
ことができる。番組がロック解除されている間、「全てのロックの解除」機能は切り替え
られて、「全てのロックの再ロック」機能となり、ガイド内の灰色ロック記号は赤色解除
済みロック記号となる。ユーザーは、親制御メニュー５４から「全てのロックの再ロック
」を選択することによって、以前にロックされた番組全てを再ロックすることができる。
ＴＶのスイッチを切ることによっても全ての親ロックが自動的に復元されることになる。
【００２９】
代替的には、ユーザーは、ＴＶ又はＴＶ予約ガイドのいずれかから番組に直接同調を行
ない正しいパスワードを入力することによって、個々の番組をロック解除することができ
る。ユーザーがロックされたチャンネルに同調を行った場合、システムはＴＶスクリーン
全体に青色スクリーンを表示し、音声をミュートする。親パスワードを要求するポップア
ップが現われることになる。正しいパスワードが供給された場合、システムは青色スクリ
ーンを除去し、音声を復元する。しかしながら、この場合、ユーザーが以前にロックした
チャンネルを途中で切った時点で、親ロックは自動的に復元されることになる。従ってユ
ーザーがロックされたチャンネルを途中で切り次に同調し戻した場合、ユーザーは、ロッ
クされたチャンネルを見るためにパスワードを再入力しなくてはならない。
【００３０】
ガイドからロックされた個々の番組にアクセスするため、ユーザは、ロックされたどの
番組であれ自ら視聴したいと思うものをガイド上でハイライトさせてＳＥＬＥＣＴキーを
入力することにより選択することができる。このとき、パスワードポップアップが現われ
ることになる。ユーザーが正しいパスワードを入力した場合、システムは望みの番組をも
つチャンネルに同調を行なう。ユーザーは、１秒以上の間ＳＥＬＥＣＴキーを入力するこ
ともでき、このとき、ユーザーにロックされた番組に同調を行なうか又はこれを録画する
かを問いかけるポップアップが現われる。ユーザーが選択を行なった時点で、パスワード
ポップアップが現われ、ユーザーはパスワードを入力できる。正しいパスワードが入力さ
れた後、システムは、ロックされた番組に同調を行なうか又はそれを録画することになる
。ＳＥＬＥＣＴキーを入力しポップアップ上で録画オプションを選択する代りに、ユーザ
ーは、ロックされた番組をハイライトさせ、ＲＥＣキーを入力して番組の録画を要求する
こともできる。ユーザーが正しいパスワードを供給した時点で録画が進められる。
【００３１】
図３は、ユーザーが１つの番組に同調を行なえるか否かを決定するためのプロセスフロ
ーチャートを例示する。好ましい実施形態においては、本書で記述されているさまざまな
プロセスは、ソフトウェアの制御下で動作し、かかるソフトウェアはコンピュータ読取り
可能な記憶媒体上に記憶されている。好ましい実施形態においては、システムは、ステッ
プ１００で親パスワードが必要か否かを検査する。ステップ１０２では、システムは、ユ
ーザーが正しい親パスワードを供給したか否かを決定する。正しい親パスワードが入力さ
れた場合、プロセスは、ステップ１０４でその番組が無料のイベントか否かを検査するこ
とになる。無料イベントは、ペイ・パー・ビュー方式でないイベントである。イベントが
無料である場合、システムはステップ１１０で番組に同調を行なうことになる。イベント
が無料でない場合、システムは、ステップ１０６で、ユーザーが購入パスワードを入力す
ることを要求する。ステップ１０８では、入力されたパスワードが確認される。パスワー
ドが正しい場合、システムは、ステップ１１０でその番組に同調を行なう。両方の確認ス
テップ１０２及び１０８について、正しくないパスワードが供給された場合、システムは
要求された番組に同調を行なわない。
【００３２】
図４は、親制御機能のオペレーションについてのプロセスフローチャートを例示する。
ユーザーがＴＶをつけるか又は１つの番組又はチャンネルに同調を行なった時点で、シス
テムは、ステップ１５０にて、番組が放映される前に親パスワードが必要とされるか否か
を検査する。親パスワードが存在する場合、システムのステップ１５２は、ＢＯＸロック
がセットされたか否かを検査する。ＢＯＸロックは、毎日２４時間、ＴＶをロックされた
状態に保つことから、基本的に特殊なＴＩＭＥロックである。ＢＯＸロックが存在する場
合、ステップ１５４は、視聴者がＴＶを見ることができるようになるにはパスワードが必
要であるということを視聴者に知らせるポップアップを表示し、ステップ１７２は、ユー
ザーが親パスワードを入力するよう要求する。ユーザーは、正しいパスワードを供給した
時点で、ステップ１６８でその番組に同調を行なうこと、自動同調を予約すること又は番
組の録画を予約することができる。
【００３３】
ＢＯＸロックがセットされていない場合、システムは、ステップ１５６でチャンネルロ
ックについて検査する。それが全く存在しない場合、ステップ１５８は、ＴＩＭＥロック
について検査する。ＴＩＭＥロックが存在する場合、ステップ１７０は、現時刻が制約さ
れた時間の範囲内にあるか否かを検査する。ユーザーが制約された時間にＴＶを見ようと
している場合、ステップ１７２においてユーザーは親パスワードを供給するよう要請を受
ける。同様にして、チャンネルロックが存在しユーザーがロックされたチャンネルに対す
る同調を行なおうとしている場合、ユーザーは、ステップ１７２でパスワードを供給する
よう要請されることになる。ユーザーが制約されていない時間にＴＶを見ている場合、ユ
ーザーはステップ１６８に進むことができ、又番組に同調を行なったり、番組を録画した
りすることができる。
【００３４】
いかなるＴＩＭＥロックもセットされなかった場合、格付けはアメリカ映画協会により
設定されたものに対応することから、ステップ１６０は格付け／ＭＰＡＡロックについて
検査する。格付けロックがセットされていた場合、ステップ１６４は番組が制約された格
付けを有するか否かを決定する。制約された格付けを有する場合、ユーザーは、ステップ
１７２において親パスワードを供給するよう要請を受ける。一方、格付けロックが全く無
い場合、ステップ１６２は、内容／ＡＴＴＲＩＢＵＴＥロックについて検査する。システ
ムはステップ１６６において、番組が制約された内容を含むか否かを検査し、それを有す
る場合、ユーザーは、ステップ１７２において親パスワードを供給するよう要請を受ける
。ステップ１７６はさらに、番組が制約された内容を含んでいない場合に、番組がＶチッ
プ分類を有するか否かを検査する。これを有する場合、ステップ１７８（図７に詳細を示
す）は、ユーザーが、制約されたＶチップ分類をもつ番組へのアクセスを得ようとしてい
るか否かを決定する。
【００３５】
ステップ１０６をさらに詳細に記述している図５は、購入制御機能のオペレーションの
ためのプロセスフローチャートを例示する。ユーザーがｌつの番組に同調を行なった時点
で、ステップ２００は、購入パスワードが設定されたか否かを検査する。設定された場合
、ステップ２０４は、限度を超えたか否かを検査する。ステップ１７２は、限度を超えた
場合に購入パスワードを要求する。超えない場合、システムは、ステップ２０８で購入プ
ロセスを続行する。ステップ２００で、購入パスワードが設定されなかったことが見極め
られた場合も、システムは同様にステップ２０８で購入プロセスを続行することになる。
【００３６】
ステップ１７２をさらに詳細に記述する図６は、購入又は親パスワードを入力するにあ
たって、パスワードを確認しユーザーの試行回数を制限するためのプロセスフローチャー
トを例示する。ステップ２５０では、ユーザーは、適用可能なパスワードを供給するよう
要請を受ける。ステップ２５２は、ユーザーの入力を受取り、ステップ２５４は、パスワ
ードが適切な書式であるか否かを検査する。
【００３７】
パスワードが適切でない場合、例えば、文字数が多すぎる場合、ステップ２５６は、そ
のパスワードが不当であることをユーザーに知らせるメッセージを表示する。ステップ２
５２は反復され、ユーザーは適切なパスワードを再入力することができる。図示されてい
る通り、ユーザーは、パスワードが不適切なものとして拒絶された場合、無限の回数パス
ワードを再入力することができる。
【００３８】
ユーザーがひとたび適切なパスワードを入力したならば、ステップ２５８は、入力され
たパスワードが正しいことを確認する。正しい場合、ステップ２６０は、ロックされた番
組に対するユーザーのアクセスを可能にする。しかしながら、入力されたパスワードが正
しくない場合、ステップ２６２は、ユーザーが正しくないパスワードを入力しようと試み
た回数を追跡する。ステップ２６４は、２６２での計数を３という数字と比較する。２６
２での計数が３より少ない場合、ステップ２５６は、不当パスワードのポップアップを表
示し、ユーザーはステップ２５２でパスワードを再入力することができる。ユーザーが３
回以上正しいパスワードを入力しようと試みた場合、ステップ２６６は、パスワードの入
力試行回数が多すぎることをユーザーに知らせるポップアップを示し、ユーザーは、パス
ワードを再び入力しようとするまでに１５分間待たなくてはならない。ステップ２６８及
び２７０はフラグをセットし、ユーザーにパスワードの再入力を許す前に１５分の制約を
開始させる。
【００３９】
好ましい実施形態においては、システムを電源から切断しても、１５分の制約を回避す
ることにはならない。逆に、システムは再び電源に接続された時点で１５分の時間帯をリ
セットするため、ユーザーはパスワードを再入力するのにより長い時間待たなければなら
なくなる。システムは、パスワードの機密保持を確保するためユーザーが正しいパスワー
ドを入力する試行を３回に制約する。許可されていないユーザーは、好ましくも３回の試
行毎にその後少なくとも１５分待たなくてはならなくなるため、無許可のユーザーがパス
ワードに不正侵入する確率はさほど高くない。
【００４０】
ステップ１７８をさらに詳しく記述する図７は、番組が制約されたＶチップ分類を有す
るか否か及びユーザーがアクセスを許されるべきか否かを決定するためのプロセスフロー
チャートを例示している。Ｖチップデータは１つのチャンネルのビデオストリームから来
ることから、番組が制約されたＶチップ分類を有するか否かを決定する１つの方法は、ま
ず最初に、データにアクセスするべくそのチャンネルに同調を行なうことにある。例えば
、ユーザーがチャンネル９を見ていてチャンネル３に同調を行ないたいと考えたとする。
図７を参照すると、チャンネル３上の番組がＶチップ分類を有することをシステムが決定
した場合、ステップ３００はチャンネル９のビデオ及び音声ボリューム情報をセーブする
。システムは、ステップ３０２でユーザーがチャンネルをＴＶスクリーンから変更してい
るか又はガイド内から変更していることを決定する。ユーザーがチャンネルをＴＶスクリ
ーンから変更している場合、ステップ３０４はＴＶスクリーン全体に青色スクリーンを置
く。
【００４１】
代替的には、ユーザーがチャンネルをガイド内から変更している場合、ステップ３０６
はガイドのまわりに青色の枠を適用し、ガイドにより網羅されていないスクリーンの部分
をふさぐ。ステップ３０８では、システムは音声をミュートし、ユーザーが番組を聞かな
くてすむようにする。ステップ３１０は、この例ではチャンネル３である要求されたチャ
ンネルに同調を行ない、ステップ３１２は、チャンネルのビデオストリームからＶチップ
データを読みとる。ステップ３１４は、Ｖチップ分類が制約された分類であるか否かを決
定する。そうでない場合、ユーザーはチャンネル３上の番組に同調を行なうことができる
。しかしながら、番組が制約されたＶチップ分類を有する場合、ユーザーはステップ１７
２で親パスワードを供給するよう要請を受ける。
【００４２】
ステップ３１６は、ユーザーが正しい親パスワードを供給したことを検査し、供給して
いる場合、ステップ３１８はチャンネル（この場合はチャンネル３）の音声ボリュームを
復元する。ユーザーがＴＶスクリーン又はガイドのいずれかに於いてチャンネルを変更し
ていたかに応じて、ステップ３２４がステップ３０４により置かれた青色スクリーンを除
去するか、又はステップ３２２がガイド及びステップ３０６により適用された青色枠をク
リアすることになる。アクセスがステップ３１６で確認されなかった場合、音声はミュー
トされた状態にとどまり、青色スクリーン又は青色枠及びガイドはスクリーン上にどとま
る。しかしながら、ユーザーは、その他のチャンネル/番組にアクセスしようとすること
もでき、これらのチャンネル/番組はそれが制約されていない場合放映されることになる
。
【００４３】
もうｌつの実施形態においては、システムはＶチップデータにアクセスするためにまず
最初にチャンネルに同調を行なう必要はない。Ｖチップ格付けデータがデータストリーム
内に含まれ、番組のタイトル、内容説明などに関するデータと同様の要領で受信され得る
ことから、システムは前もってＶチップ格付けデータを受信しそのデータをデータベース
に記憶することができる。この実施形態においては、システムは単純にデータベースから
データを検索できることから、Ｖチップデータをアクセスするためにチャンネルにまず同
調を行なう必要なく親制御を適用できる。図７の例を参照すると、システムは、ユーザー
がなおもチャンネル９内にある間に、データベースからチャンネル３の番組に関するＶチ
ップデータ情報を検索することにより、チャンネル３上の番組がＶチップ分類を有するか
否かを決定することができる。この情報を検索した後、番組がＶチップ情報を有する場合
、システムは、Ｖチップ分類が制約された分類であるか否かを決定することができる。そ
うである場合、親パスワードが要求され、そうでない場合、システムはチャンネル３の番
組に同調を行なう。従って、この実施形態は、システムがまず第１にチャンネルに同調を
行なう必要がないことから、システムが音声をミュートしガイドのまわりに青色スクリー
ン又は青色枠を打ち立てる必要性を無くする。
【００４４】
図８は、親制御又は購入パスワードを変更するためのプロセスフローチャートを例示す
る。ステップ３５０はパスワードを要求し、ステップ３５２はユーザーパスワード入力を
受理する。ステップ３５４は、パスワードが適切な形であるか否かを検査し、そうでない
場合ステップ３５６は、不当なパスワードのポップアップを表示し、ユーザーは、ステッ
プ３５２で無制限回数、適切なパスワードを再入力することができる。入力されたパスワ
ードが適切な形である場合、ステップ３５８は、そのパスワードが実際に正しいパスワー
ドであるか確認する。ステップ３６０は、誤ったパスワードが入力された回数を保持する
。ステップ３６０及び３６２により示される通り、ユーザーには、正しいパスワードを入
力する３回の試行が与えられる。３回の試行の後、入力されたパスワードがなおも正しく
ない場合、ステップ３６４は「試行過剰」ポップアップを表示する。ユーザーは、ステッ
プ３６６及び３６８がフラグをセットし１５分の制約を開始するため、、システムがさら
なる何らかのパスワード入力試行を許容する迄に１５分間待機しなければならない。前述
の通り、ユーザーは好ましくは、電源からシステムを切断することによっても１５分間の
待機を回避することができない。
【００４５】
ユーザーは、ステップ３５２で正しいパスワードを供給していれば、ステップ３７０で
古いパスワードを変更し新しいパスワードを入力することができる。ステップ３７２は、
新しいパスワードが確実に適切な形であるようにし、そうでない場合ステップ３７４は不
当なパスワードのポップアップを表示し、ユーザーは無制限回数、ステップ３７０で適切
な新しいパスワードを再入力することができる。入力された新しいパスワードが適切な形
状である場合、ユーザーは、入力された新しいパスワードが実際に所望したパスワードで
あることを確認するためステップ３７６で新しいパスワードを再入力するよう要求される
。ステップ３７８では、システムは、ステップ３７０で入力されたパスワードをステップ
３７６で入力されたパスワードと比較する。２つのパスワードが異なる場合、ユーザーは
、入力された新しいパスワードが望まれるパスワードであることを確認するべくステップ
３７６で新しいパスワードを再び入力し直すよう要請され、ステップ３７８は再び入力さ
れたパスワードを比較する。
【００４６】
ステップ３７６及び３７８は、ステップ３７６で入力されたパスワードがステップ３７
０で入力されたパスワードと整合するまで反復される。或いは又、ユーザーはプロセスか
ら退出することもでき、その場合、パスワードは未変更である。代替的には、ステップ３
７８がその比較を行なった後、パスワード３７０がパスワード３７６と異なる場合、ステ
ップ３７０〜３７８が反復される。このことはすなわちユーザーは、ステップ３７０での
入力が確実に正しものとなるようにするためステップ３７０での新しいパスワードを再入
力し、ステップ３７６でパスワードを再確認できることを意味する。ステップ３７８は２
つのパスワードを比較し、それらが同じである場合、ステップ３８０は古いパスワードを
新しいパスワードに変更する。
【００４７】
図９は、親制御又は購入パスワードを設定するためのプロセスフローチャートを例示す
る。ステップ４００がパスワードを要求し、ステップ４０２がユーザーのパスワード入力
を受理する。ステップ４０４では、システムはパスワードが適切な形をしているか否かを
検査し、そうでなければ、ステップ４０６が不当なパスワードのポップアップを表示し、
ユーザーはステップ４０２において無制限の回数、適切なパスワードを再入力することが
できる。入力されたパスワードが適切な形をしている場合、ユーザーは、入力されたパス
ワードが実際に望まれるパスワードであることを確認するため、ステップ４０８でパスワ
ードを再入力するよう要求される。ステップ４１０は、ステップ４０２で入力されたパス
ワードをステップ４０８で入力されたパスワードと比較する。２つのパスワードが異なる
場合、ユーザーは、入力された新しいパスワードが望まれるパスワードであることを確認
するべくステップ４０８で、そのパスワードを再び入力し直すよう要請され、ステップ４
１０は再び入力されたパスワードを比較する。
【００４８】
ステップ４０８及び４１０は、ステップ４０８で入力されたパスワードがステップ４０
２で入力されたパスワードと整合するまで反復される。或いは又、ユーザーはプロセスか
ら退出することもでき、その場合、パスワードは新規作成されない。代替的には、ステッ
プ４１０がその比較を行なった後、パスワード４０２がパスワード４０８と異なる場合、
ステップ４０２〜４１０が反復される。このことはすなわちユーザーは、ステップ４０２
での入力が確実に正しいものとなるようにするためステップ４０２でのパスワードを再入
力し、ステップ４０８でそのパスワードを再確認できることを意味する。ステップ４１０
は２つのパスワードを比較し、それらが同じである場合、ステップ４１２はそのパスワー
ドを現行のパスワードとして設定する。
【００４９】
図１０は、親制御又は購入パスワードを除去するためのプロセスフローチャートを例示
する。ステップ４５０では、システムは、ユーザーがパスワードを除去した場合に全ての
番組を制約無く視聴できることをユーザーに説明するポップアップを表示し、ユーザーが
続行したいか否かを尋ねる。ユーザーがステップ４５２で続行する決定を下した場合、ス
テップ４５４は、ユーザーがパスワードを入力するよう要求する。そうでない場合ユーザ
ーはこのプロセスから退出する。ステップ４５６は、ユーザーが続行する決定を下した場
合にユーザーの入力を受理し、ステップ４５８はパスワードが適切な形をしているか否か
を検査する。適切な形でない場合、ステップ４６０は、不当なパスワードのポップアップ
も表示しユーザーは、ステップ４５６で無制限回数、適切なパスワードを再入力すること
ができる。入力されたパスワードが適切な形である場合、ステップ４６２は、そのパスワ
ードが実際に正しいパスワードであるか確認する。ステップ４６４は、誤ったパスワード
が入力された回数を保持する。
【００５０】
ステップ４６６，４６０及び４５６により示される通り、ユーザーには、正しいパスワ
ードを入力する３回の試行が与えられる。３回の試行の後、入力されたパスワードがなお
も正しくない場合、ステップ４６８は「試行過剰」ポップアップを表示する。ユーザーは
、ステップ４７０及び４７２がフラグをセットし１５分の制約を開始するにつれて、シス
テムがさらなる何らかのパスワード入力試行を許容する前に１５分間待機しなければなら
ない。前述の通り、ユーザーは好ましくは、電源からシステムを切断することによっても
１５分間の待機を回避することができない。ユーザーは、ステップ４６２で正しいパスワ
ードを供給していれば、ステップ４７４でパスワードを除去することができる。
【００５１】
以上の記述は、例示的なものであって制限的意味はない。本開示を再検討することによ
り、本発明の変形形態は当業者にとって明らかとなるだろう。従って本発明の範囲は、以
上の記述を参照してではなく、添付のクレームをその全等価物範囲と合わせて参照するこ
とによって決定されるべきものである。
【図１】
0005669272.tif 000002
【図２Ａ】
0005669272.tif 000003
【図２Ｂ】
0005669272.tif 000004
【図２Ｃ】
0005669272.tif 000005
【図２Ｄ】
0005669272.tif 000006
【図２Ｅ】
0005669272.tif 000007
【図２Ｆ】
0005669272.tif 000008
【図２Ｇ】
0005669272.tif 000009
【図２Ｈ】
0005669272.tif 000010
【図３】
0005669272.tif 000011
【図４】
0005669272.tif 000012
【図５】
0005669272.tif 000013
【図６】
0005669272.tif 000014
【図７】
0005669272.tif 000015
【図８】
0005669272.tif 000016
【図９】
0005669272.tif 000017
【図１０】
0005669272.tif 000018